(57)【要約】【課題】  体力の増強効果を確保した上で、真の健康増進に役立つ運動装置を提供する。【解決手段】  運動者が所定の運動を行うことにより運動者に運動負荷を与える運動負荷部を備えてなるトレーニングバイク１０において、運動中の運動者にマイナスイオンを含有した空気を送気するマイナスイオン発生部８０と、香気を含有した空気を送気する香気発生部７０とが設けられている。また、マイナスイオン発生部８０と香気発生部７０とは、互いに近接した位置に設けられ、かつ、これらからのマイナスイオンおよび香気を含んだ空気のエア吹出し口６３は、運動者の顔面に対向して設けられている。そして、マイナスイオン発生部８０および香気発生部７０は、同一の送気通路に臨んで設けられている。【選択図】      図１
2005103086.tif 000002
【特許請求の範囲】
【請求項１】
運動者に運動負荷を与える運動負荷部を備えてなる運動装置において、マイナスイオンを含有した空気を送気するマイナスイオン発生部と、香気を含有した空気を送気する香気発生部とが設けられていることを特徴とする運動装置。
【請求項２】
前記マイナスイオン発生部と前記香気発生部とは、互いに近接した位置に設けられ、かつ、これらからのマイナスイオンおよび香気を含有した空気の吹出し口は、運動中の運動者の頭部近傍に設けられていることを特徴とする請求項１記載の運動装置。
【請求項３】
前記マイナスイオン発生部および香気発生部は、送気用のファンと、前記吹出し口との間を連通する１つの送気通路に臨んで設けられていることを特徴とする請求項１または２記載の運動装置。
【請求項４】
前記香気発生部は、前記送気通路に香気源を臨ませた状態で該香気源を支持する香気源支持部材と、この香気源支持部材に支持された香気源の送気通路に対する露出状態を調節する露出調節構造とを備えていることを特徴とする請求項３記載の運動装置。
【請求項５】
酸素が富化された空気を供給する酸素発生部が設けられていることを特徴とする請求項１乃至４のいずれかに記載の運動装置。
【請求項６】
運動者の生体情報を検出する検出手段が設けられ、この検出手段の検出結果に応じて前記マイナスイオン発生部、香気発生部および酸素発生部の少なくとも１つを動作させることを特徴とする請求項５記載の運動装置。
【請求項７】
前記生体情報は、運動者の吐息の成分、口臭、体臭、体温、発汗量および心拍数の内の少なくともいずれか１つであることを特徴とする請求項６記載の運動装置。
【請求項８】
請求項１乃至７のいずれかに記載の運動装置は、トレーニングバイクであることを特徴とする運動装置。
【発明の詳細な説明】
【技術分野】
【０００１】
本発明は、運動者のトレーニング用に使用される運動装置に関するものである。
【背景技術】
【０００２】
従来、体力増強のために使用される自転車を模した運動装置が知られている。この運動装置は、自転車の車体を模した模擬車体の頂部に設けられのサドルを有し、運動者がこのサドルに跨って実際の自転車と同様にペダルを漕ぐようになっている。ペダルの回転運動は、模擬車体に内装された所定の軸回りに回転する円板に伝達されるようになっている。円板には適度な抵抗が付与されるようになっており、これによって運動者は、ペダルを漕ぐことで実際に走行しているのと同様の体感を得ることになる。
【０００３】
ところで、このような運動装置においては、ただ単にペダルを漕いでいるだけでは非常に単調であり、運動の継続が困難であるため、単調さを解消する各種の工夫が凝らされている。例えば、サドルに跨った運動者に対面してテレビジョン受像機を配設し、この受像機にペダルの回転に応じて変化する走路の景色を映し出すとともに、運動者の顔面に送風したりするものが知られている。
【０００４】
また、前記同様の運動装置において、運動者の運動量や脈拍数を検出し、これらの検出結果に応じて酸素富化装置からの酸素を運動者の顔面に向けて吹き付けるようにしたものも知られている。こうすることで、病弱な人であっても、呼吸機能に負担をかけることなく必要な運動量を確保することができる。
【発明の開示】
【発明が解決しようとする課題】
【０００５】
しかしながら、自転車を模した運動装置を利用して運動している運動者の顔面に向けて送風するだけでは、単に気分を心地よくするだけであって真の健康増進効果は望めない。
【０００６】
この点については、酸素富化装置付きの運動装置でも同様であり、運動者に酸素が富化された空気を供給するだけでは、運動が楽になるだけであって真の健康増進効果を得ることはできない。
【０００７】
本発明は、かかる状況に鑑みなされたものであって、体力の増強効果を確保した上で、真の健康増進に役立つ運動装置を提供することを目的としている。
【課題を解決するための手段】
【０００８】
請求項１記載の発明は、運動者に運動負荷を与える運動負荷部を備えてなる運動装置において、マイナスイオンを含有した空気を送気するマイナスイオン発生部と、香気を含有した空気を送気する香気発生部とが設けられていることを特徴とするものである。
【０００９】
請求項２記載の発明は、請求項１記載の発明において、前記マイナスイオン発生部と前記香気発生部とは、互いに近接した位置に設けられ、かつ、これらからのマイナスイオンおよび香気を含有した空気の吹出し口は、運動中の運動者の頭部近傍に設けられていることを特徴とするものである。
【００１０】
請求項３記載の発明は、請求項１または２記載の発明において、前記マイナスイオン発生部および香気発生部は、送気用のファンと、前記吹出し口との間を連通する１つの送気通路に臨んで設けられていることを特徴とするものである。
【００１１】
請求項４記載の発明は、請求項３記載の発明において、前記香気発生部は、前記送気通路に香気源を臨ませた状態で該香気源を支持する香気源支持部材と、この香気源支持部材に支持された香気源の送気通路に対する露出状態を調節する露出調節構造とを備えていることを特徴とするものである。
【００１２】
請求項５記載の発明は、請求項１乃至４のいずれかに記載の発明において、酸素が富化された空気を供給する酸素発生部が設けられていることを特徴とするものである。
【００１３】
請求項６記載の発明は、請求項５記載の発明において、運動者の生体情報を検出する検出手段が設けられ、この検出手段の検出結果に応じて前記マイナスイオン発生部、香気発生部および酸素発生部の少なくとも１つを動作させることを特徴とするものである。
【００１４】
請求項７記載の発明は、請求項６記載の発明において、前記生体情報は、運動者の吐息の成分、口臭、体臭、体温、発汗量および心拍数の内の少なくともいずれか１つであることを特徴とするものである。
【００１５】
請求項８記載の発明（トレーニングバイク）は、請求項１乃至７のいずれかに記載の運動装置がトレーニングバイクであることを特徴とするものである。
【発明の効果】
【００１６】
請求項１記載の発明によれば、運動装置には、運動中の運動者にマイナスイオンを含有した空気を送気するマイナスイオン発生部と、香気を含有した空気を送気する香気発生部とが設けられているため、運動者は、運動装置を用いて所定の運動を行うことにより、香気発生部からの香気によって精神的に安定した状態になるとともに、マイナスイオン発生部からのマイナスイオンを含んだ空気を吸引することによって身体に好影響が与えられ、これらの相乗作用で優れた健康増進効果を得ることができる。
【００１７】
請求項２記載の発明によれば、マイナスイオン発生部と香気発生部とは、互いに近接した位置に設けられ、かつ、これらからのマイナスイオンおよび香気を含んだ空気の吹出し口は、運動者の頭部近傍に設けられているため、マイナスイオン含有空気と香気含有空気とを、同時に運動者の感覚器官に向けて送気することが可能になり、運動者に香気を感知させることにより無味無臭のマイナスイオン含有空気が供給されていることを連鎖的に認識させることができる。
【００１８】
請求項３記載の発明によれば、マイナスイオン発生部および香気発生部は、同一の送気通路に臨んで設けられた状態になるため、送気構造を簡単なものとしてコストダウンを図ることができる。また、同一の送気流の中にマイナスイオン含有空気と、香気含有空気とが共存した状態になるため、運動者は、マイナスイオンと香気とを一体的に受けることが可能になり、両者の相乗作用をより確実に享受することができる。
【００１９】
請求項４記載の発明によれば、香気発生部は、香気源支持部材に支持された香気源の送気通路に対する露出状態を調節する露出調節構造を備えているため、露出調節構造を調節することで運動者の好みに合った強度の香気を放香することが可能になり、運動者は、より快適な状態で運動を継続することができる。
【００２０】
請求項５記載の発明によれば、運動中の運動者に酸素富化空気を供給する酸素発生部が設けられているため、運動者にマイナスイオンおよび香気による健康増進作用および快適性を与えた上で、呼吸機能に負担を与えることなく必要な運動量を確保することが可能になり、健康増進と体力増強の双方に貢献することができる。
【００２１】
請求項６記載の発明によれば、運動者の生体情報を検出する検出手段が設けられ、この検出手段の検出結果に応じてマイナスイオン発生部、香気発生部および酸素発生部の少なくとも１つを動作させるようになされているため、検出手段が検出した生体情報の種類に応じて運動者にマイナスイオン、香気および酸素富化空気のいずれか１つまたはそれらを組み合わせたものを供給し得るようにすることができ、運動者の体調に応じた適切な対応を採ることができる。
【００２２】
請求項７記載の発明によれば、請求項６記載の発明において、前記生体情報として、運動者の吐息の成分、口臭、体臭、体温、発汗量および心拍数の内の少なくともいずれか１つが採用されるため、運動者の体調やすでに消費した運動量を適正に把握することができ、引き続き継続される運動に対してどのような対応を採るべきかの判断材料を得ることができる。
【００２３】
請求項８記載の発明によれば、トレーニングバイクは、自転車を模して構成され、しかも、このトレーニングバイクは、請求項１乃至７のいずれかに記載の運動装置を備えているため、運動者は、自転車を運転操作する感覚で気軽にトレーニングバイクを使用しながら、健康増進を図ることができる。
【発明を実施するための最良の形態】
【００２４】
図１は、本発明に係る運動装置が適用されるトレーニングバイクの一実施形態を示す側面視の断面図である。図１に示すように、トレーニングバイク（運動装置）１０は、運動者が跨って着座する着座部２０と、この着座部２０に着座した運動者が両脚で漕ぐ漕ぎ部３０と、運動者の漕ぎ部３０に対する漕ぎ動作に負荷を与える負荷付与部４０と、着座部２０に着座した運動者が両手で把持するハンドル部５０と、このハンドル部５０に装着されたパネル部６０とを備えて構成されている。
【００２５】
本実施形態では、前記パネル部６０に、香気を発する香気発生部７０と、マイナスイオンを発するマイナスイオン発生部８０が設けられているとともに、漕ぎ部３０および負荷付与部４０が内装されるカバー体１９には、酸素富化空気を発生する酸素発生部９０が設けられている。
【００２６】
前記着座部２０は、角筒状を呈した外筒体２１と、この外筒体２１の上面開口から摺接状態で挿脱可能に嵌め込まれた内筒体２２と、この内筒体２２の頂部に装着されたサドル２３とを備えている。外筒体２１には、図略の係止手段が設けられ、内筒体２２の外筒体２１からの突出量が調節された状態でこの係止手段の係止によりサドル２３の高さレベルが調節される。かかる高さレベルの調節されたサドル２３に跨ることで、運動者は着座部２０に着座し得るようになっている。
【００２７】
前記外筒体２１の下端部には、先下がりに斜め前方（図１の左方）に向けて一体的に延設された開脚状態の幅方向（図１の紙面に直交する方向）一対の前脚フレーム１１と、同先下がりに斜め後方に向けて一体的に延設された開脚状態の幅方向一対の後脚フレーム１２とが設けられている。これら前脚フレーム１１および後脚フレーム１２は、各先端面が同一平面上に位置し得るように寸法設定され、これによってトレーニングバイク１０がフロアＦ上に安定した状態で載置し得るようになっている。
【００２８】
また外筒体２１の下端部には、前方に向かって先上りに一体的に延設された１本の中央フレーム１３が設けられ、この中央フレーム１３の前端がハンドル部５０の後述するハンドルシャフト５１の下端部に固定されている。そして、ハンドルシャフト５１の下端部には、下方に向けて開脚状態で一体に延設された幅方向一対の垂下フレーム１４が設けられ、各垂下フレーム１４の下端部と、当該下端部に下方で対向した各前脚フレーム１１との間に上下方向に延びるフレーム板１５がそれぞれ架設されている。
【００２９】
そして、前記前脚フレーム１１、後脚フレーム１２、中央フレーム１３、垂下フレーム１４およびフレーム板１５によって、トレーニングバイク１０の骨格が形成されている。
【００３０】
前記漕ぎ部３０は、前記外筒体２１の下部において前脚フレーム１１と中央フレーム１３とに挟まれた位置で幅方向に延びるように方向設定されたクランク軸３１１と、このクランク軸３１１回りに一体回転する幅方向（図１の紙面に直交する方向）一対のクランクシャフト３１と、各クランクシャフト３１の先端部から外方に向けて突設されたペダル軸３２１と、このペダル軸３２１回りに回転自在に軸支された幅方向一対のペダル３２と、前記クランク軸３１１と同心で一体回転するホイール３３とを備えて構成されている。
【００３１】
前記クランク軸３１１は、外筒体２１の下端部と中央フレーム１３の基端部との間に溶接止め等で固定された幅方向一対の筋交い板３４にベアリングを介して貫通され、これによってクランクシャフト３１の設置位置が設定されるようになっている。
【００３２】
前記ホイール３３は、サドル２３に跨った運動者がペダル３２を漕ぐことによるクランク軸３１１の回転力を前記負荷付与部４０に伝達するものであり、クランク軸３１１の回転力はホイール３３に掛け回された無端ベルト３５によって負荷付与部４０に伝達されるようになっている。
【００３３】
また、前記中央フレーム１３には、ホイール３３の回転速度を検出する速度センサ３６が設けられている。この速度センサ３６の検出信号は、後述の制御部１００へ入力され、ここで実際に自転車を走行させたとした場合の仮想の走行速度が算出されるようになっている。
【００３４】
前記負荷付与部４０は、ペダル３２のクランク軸３１１回りの回転に負荷を付与して運動者に実際の自転車で走行している実感を与えるためのものであり、幅方向一対の前記フレーム板１５間に架設された支持軸４１と、この支持軸４１回りに同心で回転可能に軸支された負荷ドラム４２と、この負荷ドラム４２の負荷量を調節する負荷調節機構４３とを備えて構成されている。
【００３５】
前記支持軸４１には、図略の第１ギヤが同心で固定されているとともに、このギヤに噛合する図略の第２ギヤが設けられ、この第２ギヤと同心で一体回転するプーリに前記無端ベルト３５が掛け回され、これによってホイール３３のクランク軸３１１回りの回転は、無端ベルト３５、プーリ、第２ギヤおよび第１ギヤを介して負荷ドラム４２の支持軸４１回りの回転に伝達されるようになっている。
【００３６】
前記負荷調節機構４３は、筋交い板３４に取り付けられた電動のテンションコントローラ４３１と、環状の段差が形成された状態の負荷ドラム４２の側面の適所にブレーキシューを当接させたブレーキ部材４３２と、テンションコントローラ４３１およびブレーキ部材４３２間に介設された、インナーケーブルおよびアウターケーブルからなる二重ケーブル４３３とを備えている。
【００３７】
前記テンションコントローラ４３１は、図略の電動モータの駆動で二重ケーブル４３３のインナーケーブルを緊張させたり弛緩させるものであり、インナーケーブルが緊張した状態でこの緊張がブレーキ部材４３２に伝達され、これによるブレーキシューの負荷ドラム４２への押圧力の増大で負荷ドラム４２に大きな負荷を与える一方、インナーケーブルが弛緩することでブレーキシューの負荷ドラム４２への押圧力が低下し、負荷ドラム４２の負荷が軽減されるようになっている。したがって、テンションコントローラ４３１のコントロールによるインナーケーブルの緊張力調節によって負荷ドラム４２の負荷量を変化させることができる。
【００３８】
前記ハンドル部５０は、前記中央フレーム１３の上端部から僅かに前倒状態で立設されたハンドルシャフト５１と、このハンドルシャフト５１の上部から前方（図１の左方）に向かって突設された棚部５２と、この棚部５２にハンドル軸５３１回りに回動自在に支持されたハンドル５３とを備えている。ハンドル軸５３１は、所定の係止手段の操作で設定された回動位置が固定可能になっており、これによってハンドル５３は、運動者の体格に合わせて角度調節し得るようになっている。
【００３９】
このようなトレーニングバイク１０は、外筒体２１、前脚フレーム１１、後脚フレーム１２、中央フレーム１３およびフレーム板１５等からなる骨格部分が側面視でＵ字形状を呈したカバー体１９によって覆われ、これによって外観視がデザイン的に美麗になるようになされている。
【００４０】
そして、運動者は、サドル２３に跨って両手でハンドル５３を把持し、両足でペダル３２を漕ぐことにより、自転車に乗っている感覚で運動を行うのである。
【００４１】
前記パネル部６０は、その上面に各種の操作スイッチや表示部材が設けられるとともに、内部に香気発生部７０およびマイナスイオン発生部８０が設けられてなるものであり、操作面をサドル２３に跨った運動者の顔面（頭部）に向けた傾斜状態でハンドルシャフト５１の頂部に固定されている。
【００４２】
以下、図２および図３を基にパネル部６０について説明する。図２は、パネル部６０の側面視の断面図であり、図３は、パネル部６０の平面図である。これらの図に示すように、パネル部６０は、例えば上下に二つ割れ可能に構成された扁平なケーシング６１を備えて構成されている。ケーシング６１は、角皿状の下ケース６１１と、この下ケース６１１に嵌め合せで被せられる上下逆転させた角皿状の上ケース６１２とからなっている。
【００４３】
下ケース６１１の底板前端部（図２の左方）には、外部の空気を吸い込むための吸気孔６２が設けられているとともに、上ケース６１２の前後方向の中央部より若干前方位置には、吸い込んだ上で清涼化等された空気を吹き出させるためのエア吹出し口６３が設けられている。また、上ケース６１２のエア吹出し口６３より後方（図３の下方）位置には、図３に示すように、各種の情報を表示する表示エリア６４と、各種の操作ボタンが設けられた操作エリア６５とが設定されている。
【００４４】
図４は、図３の部分拡大図であり、エア吹出し口６３および後述する針電極８２を示している。図４に示すように、エア吹出し口６３は、表示エリア６４の上方位置に設けられ、運動者がサドル２３に跨った状態で、運動者の顔面に対向するようになっている。
【００４５】
そして、前記吸気孔６２とエア吹出し口６３との間には、前記香気発生部７０およびマイナスイオン発生部８０を装着するための装着空間６６が形成されている。
【００４６】
図５および図６は、前記香気発生部７０の一実施形態を示す斜視図であり、図５は、可動カバー７３が閉止位置に位置設定された状態、図６は、可動カバー７３が開放位置に位置設定された状態をそれぞれ示している。これらの図に示すように、香気発生部７０は、下ケース６１１の底板６１３に立設された幅方向一対の香源保持柱（香気源支持部材）７１と、これら一対の香源保持柱７１に挟持されて保持されるカートリッジ状の香源部材（香気源）７２と、この香源部材７２の露出量を調節する可動カバー（露出調整構造）７３と、この可動カバー７３の移動を案内するガイドレール７４とを備えて構成されている。
【００４７】
前記香源保持柱７１は、上下方向に延びる板状の保持柱本体７１１と、この保持柱本体７１１の両側縁部に当該保持柱本体７１１を挟持するようにして付設された一対の挟持板７１２とからなり、各保持柱本体７１１の片面同士が互いに対向配置されている。そして、香源部材７２は、一対の香源保持柱７１間に形成された香源部材収容空間７０１内に、両側部が各挟持板７１２間に嵌まり込んだ状態で収容されるようになっている。
【００４８】
前記香源部材７２は、直方体状を呈したケース７２１の中に、例えば粒状を呈した所定の芳香剤が装填されることによって形成されている。ケース７２１の正面壁および背面壁には、多数の通風孔７２２が穿設され、吸気孔６２から導入された空気は、背面側の通風孔７２２を通ってケース７２１内に導入され、昇華した芳香剤を伴って正面側の通風孔７２２から導出されるようになっている。
【００４９】
前記可動カバー７３は、天板７３１と、この天板７３１の両側縁部から下方に向けて延設された一対の側板７３２とを備えて構成されている。一対の側板７３２間の内寸法は、香源保持柱７１の一対の挟持板７１２間の外寸法より僅かに大きく寸法設定されている。側板７３２の下縁部は、ガイドレール７４にガイドされるようになっている。かかる可動カバー７３は、香源保持柱７１に跨った状態でガイドレール７４に案内されつつ移動し、一対の香源保持柱７１間に架設されて香源部材７２を覆った図５に示す閉止位置と、香源部材７２を外部に露出させた図６に示す開放位置との間で位置変更し得るようになっている。
【００５０】
また、可動カバー７３の天板７３１には、図６における香源部材収容空間７０１側の端部から上方に向けて突設された操作突片７３３が設けられ、可動カバー７３は、この操作突片７３３を指で摘んで操作することにより、開放位置と閉止位置との間で位置変更し得るようになっている。
【００５１】
そして、ケーシング６１の前記装着空間６６内の底板６１３上における香気発生部７０の下流位置には、縦置きで吸引ブロワ７５が取り付けられている。この吸引ブロワ７５の吸引口７５１は、香気発生部７０の香源部材７２の下流側の側面に臨まされている一方、排出口７５２は、装着空間６６の下流端に設けられたケーシング６１内を仕切る仕切り壁６６１（図２）に臨まされている。前記仕切り壁６６１は、底板６１３とエア吹出し口６３の下側の表示エリア６４との間に介設されている。
【００５２】
因みに、本実施形態においては、ケーシング６１内において、吸気孔６２から香気発生部７０を通り、吸引ブロワ７５を介してエア吹出し口６３に到る送気用の通路によって本発明に係る送気通路が形成されている。
【００５３】
したがって、図６に示すように、可動カバー７３が開放位置に位置設定された状態で吸引ブロワ７５を駆動すると、吸引ブロワ７５の吸引力によって外部からの空気が吸気孔６２を介してケーシング６１内に導入される。この導入空気は、可動カバー７３が開放位置に位置設定された状態で、通風孔７２２を介して香源部材７２のケース７２１内を貫流し、このときケース７２１に装填されている芳香剤を昇華させて香気となる。この香気は、吸引口７５１から吸引ブロワ７５に吸引されて排出口７５２から排出され、前記仕切り壁６６１（図２）に案内され、エア吹出し口６３から運動者の顔面に向けて吹き出されることになる。
【００５４】
なお、可動カバー７３が閉止位置に位置設定された状態では、図５に示すように、吸気孔６２を介してケーシング６１内に導入された空気は、香源保持柱７１の外側方をバイパスして吸引ブロワ７５に吸引されるため、香源部材７２からの香気は、エア吹出し口６３から吹き出される空気中に含まれない。
【００５５】
そして、ケーシング６１の上ケース６１２の上面であって、エア吹出し口６３より上方の右寄りの位置には、香源部材７２を香気発生部７０の香源保持柱７１間に対して着脱するための着脱窓６７が設けられている。この着脱窓６７は、上ケース６１２に前記香源部材収容空間７０１と対応するように開口されている。この着脱窓６７に、前記可動カバー７３の操作突片７３３がケーシング６１内から貫通されて外部に突出した状態になっている。
【００５６】
したがって、操作突片７３３を左方に向けて操作することにより、可動カバー７３は、左方に移動して香源部材７２を覆う閉止位置に位置設定される一方、着脱窓６７を右方に向けて操作することにより、可動カバー７３は、右方に移動して香源部材７２が露出される開放位置に位置設定されるようになっている。そして、着脱窓６７の操作量を調節することにより、可動カバー７３を開放位置と閉止位置との間の任意の位置で止めることが可能であり、これによる香源部材７２の露出状態の変更で当該香源部材７２から放香する香気の量を調節することができる。
【００５７】
前記マイナスイオン発生部８０は、香気発生部７０によって形成された香気中にマイナスイオンを付加するものであり、図２に示すように、装着空間６６の下流側であって、吸引ブロワ７５の排出口７５２からの排出空気をエア吹出し口６３へ導く通気路６６２に臨む位置に配設されている。
【００５８】
かかるマイナスイオン発生部８０は、マイナスイオン発生装置であるイオナイザー８１と、このイオナイザー８１からの高電圧を香気に印加する針電極８２とを備えて構成されている。針電極８２は、基端側が仕切り壁６６１と対向するように上ケース６１２の表示エリア６４の天板６４０から垂下された垂下壁６６３を貫通して、図２および図４に示すように、針先が通気路６６２内に位置させられている。したがって、通気路６６２を通過する空気は、針電極８２の針先から高電圧の電界空間に浴され、これによって空気は電離してマイナスイオンが富化された状態になってエア吹出し口６３から外部へ導出されることになる。
【００５９】
そして、本実施形態においては、パネル部６０に脈拍計３００が装着されている。脈拍計３００は、クリップ状の脈拍計本体３１０と、この脈拍計本体３１０をケーシング６１の脈拍表示部６４５に電気的に接続するリード線３２０とを備えて構成されている。そして、脈拍計本体３１０で運動者の耳朶を挟み、血流量の変化を透過光量の変化で光学的に検出するようになっている。脈拍計本体３１０が検出した検出信号は、リード線３２０を介して脈拍表示部６４５へ伝達されるとともに、後述する制御部１００へも入力されるようになっている。
【００６０】
前記酸素発生部９０は、酸素が約２１％の空気の酸素濃度を上昇させて酸素を富化する酸素富化機９１と、この酸素富化機９１で発生した酸素富化空気を送出する送出パイプ９２と、この送出パイプ９２の下流端に接続された、運動者の頭部に装着するヘッドセット９３とを備えて構成されている。
【００６１】
前記ヘッドセット９３は、頭部に嵌め込むＵ字形状を呈したＵ字板ばね９３１と、このＵ字板ばね９３１の両端部にそれぞれ取り付けられた一対の頭当てパッド９３２と、一方の頭当てパッド９３２から硬質チューブを介して延設された酸素マウス９３３とからなっている。酸素マウス９３３には、運動者の口部に対向した位置に穿設された酸素富化空気噴出孔が設けられ、運動者は、この噴出孔から噴出する酸素富化空気を吸引することができるようになっている。
【００６２】
つぎに、図３を基にパネル部６０の上面に形成された表示エリア６４に設定されている表示項目について説明する。図３に示すように、エア吹出し口６３の下部には、ＬＥＤを備えてなる「マイナスイオン」と表記されたマイナスイオンスイッチ兼表示部６３１と、「アロマ」と表記された香気スイッチ兼表示部６３２とが設けられている。これらの表示部６３１，６３２は、スイッチとオン／オフの表示とを兼用するものであり、一度プッシュするとオンになり、もう一度プッシュするとオフになる。
【００６３】
そして、マイナスイオンスイッチ兼表示部６３１が点灯しているときは、エア吹出し口６３からマイナスイオンを含んだ空気が吹き出していることを示しており、香気スイッチ兼表示部６３２が点灯しているときは、エア吹出し口６３から香気が吹き出していることを示している。
【００６４】
表示エリア６４には、左上から下方に向けて「プログラム」の表記で示されたプログラム番号表示部６４１、「時間」の表記で示された時間表示部６４２、「距離」の表記で示された距離表示部６４３、「カロリー」の表記で示された消費カロリー表示部６４４、「脈拍」の表記で示された脈拍表示部６４５が設定されている。
【００６５】
そして、プログラム番号表示部６４１には、運動の種類に応じて予め設定されているプログラムのうち、選択されたものの番号が表示される。時間表示部６４２には、運動者が運動を開始してから現在に到る時間が表示される。距離表示部６４３には、運動者がペダル３２を漕ぐことによって進んだとみなされる仮想的な距離が表示される。消費カロリー表示部６４４には、運動者が運動を行うことによって消費したカロリーが表示される。脈拍表示部６４５には、運動者の脈拍が表示される。運動者の脈拍を表示するために、運動者は、運動開始前に脈拍計３００（図８）を装着するようになっている。この脈拍計３００の検出信号に基づく脈拍数の値が脈拍表示部６４５に表示される。
【００６６】
また、表示エリア６４には、中央部上方に「速度」の表記で示された速度表示部６４６と、この速度表示部６４６の下方位置に「年齢」および「脈拍」と併記された年齢別脈拍表示部６４７が設定されている。速度表示部６４６には、運動者がペダル３２を漕ぐことにより得られる仮想的な走行速度が表示される。また、年齢別脈拍表示部６４７には、年齢別の平均的な脈拍数が表示される。年齢別脈拍表示部６４７において、「年齢」および「脈拍」と表記された部分がタッチスイッチになっている。そして、運動者は、運動を始める前にまず「年齢」の部分をタッチして年齢別脈拍表示部６４７に順次表示される年齢から運動者が自分の年齢を選択し、その年齢を設定した後、「脈拍」の部分をタッチすることにより、設定された年齢にとって最適の脈拍数が年齢別脈拍表示部６４７に表示されるようになっている。この脈拍数は、最高脈拍数の６０％〜８０％の値が設定されるようになっている。最高脈拍数の６０％〜８０％の脈拍数は、トレーニングバイク１０による運動で最も効果的な値であるとされている。
【００６７】
さらに、表示エリア６４における年齢別脈拍表示部６４７の右側には、「負荷」の表記で示された負荷表示部６４８が設定されている。この負荷表示部６４８は、経時的に運動の負荷を表示するのに適するように、グラフ形式で運動負荷を表示するようになっている。具体的には、負荷表示部６４８は、横方向に時間が設定され、縦方向に運動負荷量が設定されたマトリックス状に形成され、マトリックスの各要素の位置に小さな正方形状の単位表示部６４９が形成されている。図３に示す例では、横方向に１０個の単位表示部６４９が設定されているとともに、縦方向に８個の単位表示部６４９が設定され、合計で８０個の単位表示部６４９が設けられている。
【００６８】
１個の単位表示部６４９は、時間軸で所定時間幅、例えば「１分」を表し、運動負荷軸で所定の「単位運動レベル」を表している。そして、時間の経過との関係で単位運動量を種々設定することにより、トレーニングバイク１０を用いた各種の運動パターンが設定される。かかる運動パターンは、プログラム番号表示部６４１に表示されるプログラムの種類に応じて予め設定されており、運動者は、プログラム番号表示部６４１における「プログラム」と表示されている部分をタッチしてプログラム番号を選択することにより、そのプログラムに対応した運動パターンが負荷表示部６４８に表示されることになる。単位表示部６４９の表示内容は、上記の例によれば、１分ごとに横方向にスクロールするなどすることで常に現状の負荷状態を知ることができる。
【００６９】
図７は、運動パターンの例を示す負荷表示部６４８のパターン表示図であり、（ａ）は平準パターン、（ｂ）は単純鋸パターン、（ｃ）は山形パターン、（ｄ）は変形鋸パターンをそれぞれ示している。
【００７０】
図７の（ａ）に示す平準パターンの場合、運動レベルは、時間の経過に拘らず２運動レベルで推移するようになっており、通常の平坦な道を自転車で走行している状態に対応する。
【００７１】
また、図７の（ｂ）に示す単純鋸パターンの場合、運動レベルは、１分毎に２運動レベルと、２運動レベルとの間で変化するようになっており、起伏の激しい凹凸道を自転車で走行している状態に対応する。
【００７２】
また、図７の（ｃ）に示す山形パターンの場合、運動レベルは、最初の４分間で当初の１運動レベルから１分毎に１運動レベルずつ運動レベルがアップしていき、３分が経過して４分目が始まる時点で４運動レベルに設定され、この状態が４分間継続した後、１分毎に１運動レベルずつ運動レベルが低下していくように設定されており、小高い丘を自転車で走行する状態に対応している。
【００７３】
さらに、図７の（ｄ）で示す変形鋸パターンの場合は、図７の（ｂ）に示す単純鋸パターンの変形パターンであり、最初の３分間で１運動レベルから４運動レベルまで運動レベルが急激に立ち上がった後に１運動レベルに急激に低下するように設定されている。
【００７４】
なお、設定される運動パターンは、これら４つのパターンに限定されるものではなく、状況に応じてさらに各種のパターンを設定することができる。
【００７５】
ついで図３に戻り、ケーシング６１の上ケース６１２の上面に設定された前記操作エリア６５について説明する。操作エリア６５には、その右方位置に感圧式の負荷設定スイッチ６５１が設けられているとともに、中央部下部位置に感圧式の選択スイッチ６５２および決定スイッチ６５３が設けられている。また、選択スイッチ６５２の左側に脈拍スイッチ６５４が設けられている。また、選択スイッチ６５２の上方にはファンレベルスイッチ６５５が設けられている。また、ファンレベルスイッチ６５５の上方には、酸素オン／オフスイッチ６５６が設けられているとともに、その左隣にクールダウン報知ランプ６５７が設けられ、さらにその左隣に速度報知ランプスイッチ６５８が設けられている。
【００７６】
前記負荷設定スイッチ６５１は、負荷ドラム４２に対する負荷調節機構４３（図１）による負荷の強度を調節するものであり、「＋」と表示されている側を押圧することにより、テンションコントローラ４３１の駆動でブレーキ部材４３２の負荷ドラム４２に対する押圧力が増大し、これによって負荷ドラム４２の回転に対して負荷が大きくなる一方、「−」と表示されている側を押圧することにより、テンションコントローラ４３１の逆駆動でブレーキ部材４３２の負荷ドラム４２に対する押圧力が減少し、これによって負荷ドラム４２の回転に対して負荷が小さくなるようになされている。
【００７７】
前記選択スイッチ６５２は、運動のパターンを設定するためにプログラムを選択するためのものであり、この選択スイッチ６５２を押し続けると、前記プログラム番号表示部６４１の表示（プログラム番号）が１から昇順で順次変わっていくとともに、これに応じて負荷表示部６４８に表示された運動パターンも入れ替わっていくようになっている。そして、所望のプログラムが見つかると、選択スイッチ６５２の押圧を中止して決定スイッチ６５３を押圧する。これによってプログラムが設定されることになる。また、選択スイッチ６５２を二度押しすることにより、プログラムの選択がキャンセルされるようになっている。
【００７８】
前記脈拍スイッチ６５４は、脈拍計によって検出された脈拍数を運動制御の要因として採用する場合に操作されるものであり、この脈拍スイッチ６５４を押すと、脈拍計３００によって検出された九脈拍数が制御要因として取り上げられることになる。
【００７９】
前記ファンレベルスイッチ６５５は、吸引ブロワ７５（図２、図５および図６）の吸引力のレベルを設定するものであり、押圧回数が増加する毎に吸引力が強くなり、最大吸引力に設定された後にさらにもう１回押圧すると停止（あるいは最小の吸引力）に戻るようになっている。かかるファンレベルスイッチ６５５の左側には、幅寸法が漸増するように設定された複数の単位表示部を有するファンレベル表示部６５５ａが設けられ、どの単位表示部が点灯しているかで吸引ブロワ７５の吸引力（すなわちエア吹出し口６３からの吹き出し力）の強さを認識し得るようになっている。
【００８０】
前記酸素オン／オフスイッチ６５６は、酸素富化機９１の駆動のオン／オフを設定するためのものであり、酸素富化機９１が動作している状態で酸素オン／オフスイッチ６５６を押すと酸素富化機９１は停止し、もう一度押すと動作するサイクリック式になっている。この酸素オン／オフスイッチ６５６は、運動者がペダル３２を漕いでいること（すなわちホイール３３が回転していること）を条件として機能するように構成されている。したがって、トレーニングバイク１０が使用されていない状態では、酸素オン／オフスイッチ６５６を操作しても酸素発生部９０が駆動することはない。
【００８１】
前記クールダウン報知ランプ６５７は、予め決められた所定時間のトレーニング毎に設定されているクールダウンのタイミングを報知するものであり、クールダウンに入ったタイミングでランプが点滅する。つまり、運動者は、このランプの点滅を確認することにより、現在のトレーニングがクールダウンに入っていることを視覚的に認識できる。なお、クールダウンは、運動を急激に停止した際に体に無理な負荷が発生することを回避するためのもので、軽い負荷で運動を行い安全にトレーニングを終了することを示している。
【００８２】
具体的には、トレーニング開始と同時に１分ライト６５７aが点灯し、１５分になるタイミングで負荷が軽くなるクールダウンに入るが、これと同時に点灯していた1分ライト６５７aが点滅を行う。そして1分間のクールダウンが終了し、次いで通常のトレーニングに戻った段階で1分ライト６５７aおよび３分ライト６５７ｂが両方とも点灯する。その後、さらに１５分経過したタイミングで（トータルで３０分の通常トレーニング経過）、今度は３分ライト６５７ｂが点滅を行う（１分ライト６５７aは点灯状態）。そして３分間のクールダウンに入るが、３分間の内、２分経過し残り１分のクールダウンとなったタイミングで、今度は１分ライト６５７aが点滅する（３分ライト６５７bは点灯状態）。最後に残り１分のクールダウンが終了した時点で１分、３分ライトとも消灯する。
【００８３】
そして、本実施形態においては、上ケース６１２における着脱窓６７の図３における左側に、トレーニングバイク１０に対して着脱自在の歩数計（図示しない）を着装するための歩数計着装部６８が設けられている。前記歩数計は、通常の歩数の計数機能を有する他に、本トレーニングバイクの運動結果、運動履歴等のデータを記憶する機能を有している。そして、歩数データおよび前記運動結果等のデータを例えば別の運動管理装置に送信し、該運動管理装置でトレーニング者の運動データのグラフ表示、アドバイス表示等を行うことで、運動管理に活用することができる。トレーニングバイク１０から上記歩数計へのデータ転送は、トレーニングの終了後にデータ送信ボタン６５０を押すことによって行うことができる。
【００８４】
前記速度報知ランプスイッチ６５８は、ペダル３２を漕ぐ速さ（すなわち仮に実際の自転車で走行しているとした場合の仮想速度）を設定するものであり、標準的な速度より速めの速度を設定するための高速スイッチ６５８ａと、標準的な速度を設定するための適正スイッチ６５８ｂと、標準的な速度より遅めの速度を設定する低速スイッチ６５８ｃとが設けられている。これらのスイッチのいずれかを押下することにより、その速度がその運動者の基準速度であるとして設定され、以後この設定された基準速度に基づいて各種の制御量（たとえば基準カロリー量など）が設定されることになる。
【００８５】
そして、本発明においては、トレーニングバイク１０の適所に運動管理の制御を行う制御部が設けられ、この制御部の制御によってトレーニングバイク１０による状況に応じた適正な運動が行われるようになっている。以下制御部による制御について説明する。
【００８６】
図８は、制御部によるトレーニングバイク１０の制御を説明するためのブロック図である。図８に示すように、制御部１００は、設定運動モード判別部１１０と、香気オン／オフ指示判別部１２０と、マイナスイオンオン／オフ指示判定部１３０と、酸素供給指示判定部１４０と、負荷状態設定処理部１５０と、表示パネル点灯制御部１６０と、液晶表示制御部１７０と、設定運動量監視部１８０と、カウンタ１９０とを備えている。かかる制御部１００は、ペダルが漕ぎ出されるとスタートする。
【００８７】
前記設定運動モード判別部１１０は、運動者が選択することによってプログラム番号表示部６４１に表示されたプログラム番号に対応するプログラムに応じて運動モードを抽出し、負荷表示部６４８に運動パターンを表示させるものである。
【００８８】
前記プログラムは、制御部１００に付設された読み取り専用のＲＯＭ２００に記憶されているとともに、前記運動モードに対応する運動パターンもＲＯＭ２００に記憶されている。ＲＡＭ２１０は、処理途中の情報を一時的に格納するものである。
【００８９】
前記香気オン／オフ指示判別部１２０は、香気発生部７０からの香気をエア吹出し口６３から吹き出させるか否かを制御するものであり、香気スイッチ兼表示部６３２からのオン信号に基づいて吸引ブロワ７５に駆動信号を出力する一方、同オフ信号に基づいて吸引ブロワ７５に停止信号を出力するようになっている。
【００９０】
前記マイナスイオンオン／オフ指示判定部１３０は、エア吹出し口６３から吹き出す空気にマイナスイオンを付加するか否かを制御するものであり、マイナスイオンスイッチ兼表示部６３１からのオン信号に基づいてマイナスイオン発生部８０のイオナイザー８１に駆動信号を出力する一方、同オフ信号に基づいてイオナイザー８１に停止信号を出力するようになっている。なお、制御部１００は、吸引ブロワ７５の停止中は、イオナイザー８１は動作しない。
【００９１】
前記酸素供給指示判定部１４０は、酸素オン／オフスイッチ６５６がオンに設定された状態（すなわち酸素富化機９１が駆動している状態）で、脈拍計３００からの検出信号に基づき酸素富化機９１の駆動状態を調節する制御信号を出力するものであり、脈拍計３００により検出された脈拍数が予め設定された値を越えた場合に、酸素富化機９１へ駆動状態をアップさせる制御信号を出力する一方、脈拍数が元に戻った状態で酸素富化機９１の駆動を元に戻す制御信号を出力するようになっている。
【００９２】
前記負荷状態設定処理部１５０は、プログラム番号表示部６４１によって所定のプログラムを選択することにより設定され、且つ負荷表示部６４８に表示された運動パターンに応じて負荷ドラム４２の回転負荷を制御するものであり、設定された運動パターンに応じてテンションコントローラ４３１へ制御信号が出力され、この制御信号に基づくテンションコントローラ４３１の動作でブレーキ部材４３２の負荷ドラム４２に対する押圧力を変化させ、これによってペダル３２を漕ぐときに強い力が必要になったり、弱い力に緩和されたりする。これによって、運動者は、運動パターンに応じて実際の路面を自転車で走行している実感を得ることができる。
【００９３】
前記表示パネル点灯制御部１６０は、マイナスイオンスイッチ兼表示部６３１や香気スイッチ兼表示部６３２、さらにはファンレベル表示部６５５ａ等の表示パネル用ランプ群２２０の点滅制御をそれらの指示の有無に従って行うものである。
【００９４】
前記液晶表示制御部１７０は、プログラム番号表示部６４１、プログラム番号表示部６４１、距離表示部６４３、消費カロリー表示部６４４、脈拍表示部６４５、速度表示部６４６、年齢別脈拍表示部６４７および負荷表示部６４８にそれぞれ設けられた液晶表示器２３０に対する表示制御を行うものであり、各部からの入力信号や出力信号に基づいて表示の可否や表示内容を判別するとともに、表示すべきものについては対象となる液晶表示器２３０へ駆動信号が出力され、これによって液晶表示器２３０が所定の表示を行うようになっている。
【００９５】
設定運動量監視部１８０は、選択されたプログラムに対応する運動パターン（この運動パターンは、単位表示部６４９に表示される）に応じて運動者がペダル３２を漕ぐことにより消費するカロリー（実績消費カロリー）を監視するものである。かかる設定運動量監視部１８０は、実績消費カロリーが予め設定された基準カロリーを満たしているか否かを監視し、逐一実績消費カロリーを消費カロリー表示部６４４に表示させるとともに、実績消費カロリーが基準消費カロリーを満たしたときはブザー２４０に向けて吹鳴のための制御信号を出力するようになっている。
【００９６】
前記基準カロリーは、負荷調節機構４３のブレーキ部材４３２による負荷ドラム４２に対する負荷量に応じて予め設定されており、この設定された基準カロリー値は、テーブル形式でＲＯＭ２００に記憶されている。また、前記実績消費カロリーは、前記負荷量に応じて速度センサ３６か検出した検出値に基づきＲＯＭ２００に記憶されている所定の計算式を用いて算出されるようになっている。
【００９７】
したがって、運動者はペダル３２を漕いで運動を継続しながら消費カロリー表示部６４４を目視することによって、運動開始から現在までにどれだけのカロリーを消費したか逐一視認することができるとともに、実績消費カロリーが目標カロリーを満たしたときにはブザー２４０が吹鳴し、これによって運動者は目標を達成して運動終了を認識することができる。
【００９８】
前記カウンタ１９０は、設定運動量監視部１８０が時間設定に基づく運動パターンの場合に適用され、予め設定された時間に達するとブザー２４０が吹鳴する。また、設定運動量監視部１８０が距離設定に基づく運動パターンである場合には、速度センサ３６より仮想走行距離を距離計算部で計算し、設定距離に到達するとブザー２４０が吹鳴する。かかるカウンタ１９０は、所定のサイクルでパルス信号が出力されるようになっており、このパルス信号の発信回数を検出することで経過時間を得ることができる。
【００９９】
図９は、パネル部６０のエア吹出し口６３から放香を吹き出させるアロマ制御の一実施形態を示すフローチャートである。まず、香気スイッチ兼表示部６３２における香気スイッチ（図３で「アロマ」と表示されている部分）を押下したか否かが判別される（Ｓ１）。そして、香気スイッチが押下された場合（Ｓ１でＹＥＳ）にはステップＳ２が実行され、香気スイッチが押される度に風量が「０」（無風）から多段階に変化し、最大風量の状態でさらに押下すると「０」に戻る。
【０１００】
なお、図８に示すブロック図において、マイナスイオンスイッチ兼表示部６３１や６３２、さらには操作エリア６５に設けられた選択スイッチ６５２などの各種の操作スイッチを一括して運動状態設定スイッチ群４００として表示している。
【０１０１】
図１０は、酸素富化機９１による酸素富化制御の一実施形態を示すフローチャートである。まずステップＳ１０で、ペダル３２を漕ぎ始めることにより酸素富化機９１が稼働されたか否かが判別される。そして、酸素富化機９１が稼働されている場合（ステップＳ１０でＹＥＳ）には、酸素オン／オフスイッチ６５６が押下されたか否かが判別され、押された場合（Ｓ１２でＹＥＳ）には、酸素富化機９１が停止される（Ｓ１２）。ステップＳ１１でＮＯの場合には、ステップＳ１３に進む。
【０１０２】
ついで、ステップＳ１３では、酸素富化機９１の停止中に酸素オン／オフスイッチ６５６が押されたか否かが判別され、押された場合（Ｓ１３でＹＥＳ）には、酸素富化機９１は起動され（Ｓ１４）、ステップＳ１５に移る。ステップＳ１３で酸素オン／オフスイッチ６５６が押されなかった場合にはステップＳ１５に進む。
【０１０３】
そして、ステップＳ１５では、運動が終了したか否かが判別され、終了していないとき場合（Ｓ１５でＮＯ）には、ステップＳ１１に戻され、終了したとき（Ｓ１５でＹＥＳ）には、ステップＳ１６以下が実行される運動レベルを低下させたクールダウンモードに移行する。
【０１０４】
そして、ステップＳ１６では、クールダウン報知ランプ６５７への予め行われた設定に基づくクールダウンが実行される。すなわち、１分ライト６５７aが点灯されていた場合には１分間、３分ライト６５７ｂが点灯されていた場合には３分間、運動レベルが低下された状態で運動者は軽くペダル３２を漕ぐことになる。クールダウン運動の時間はタイマー（カウンタ１９０）によって計測される。
【０１０５】
ついで、ステップＳ１７では、ステップＳ１５時点で酸素富化機９１が稼働していたか否かが判別され、稼働していた場合（Ｓ１７でＹＥＳ）には、その稼働が継続されたままタイマーのカウントダウンが行われる（Ｓ１９）。また、酸素富化機９１が停止していた場合（Ｓ１７でＮＯ）には、この停止状態が継続されてカウントダウンが実行される（Ｓ１８）。
【０１０６】
ついで、ステップＳ２０でクールダウンモードでの運動が終了したか否かが、タイマーアップになっているか否かで判別され、運動が終了したと判別される（Ｓ２０でＹＥＳ）ことによってクールダウンモードの運動が終了し（Ｓ２１）、全運動が終了する。
【０１０７】
本発明に係るトレーニングバイク１０は、以上詳述したように、運動中の運動者にマイナスイオンを含有した空気を送気するマイナスイオン発生部８０と、香気を含有した空気を送気する香気発生部７０とが設けられてなるものであるため、運動者は、トレーニングバイク１０を用いてペダル３２を漕ぐ運動を行うことにより、香気発生部７０からの香気によって精神的に安定した状態になるとともに、マイナスイオン発生部８０からのマイナスイオンを含んだ空気を吸引することによって身体に好影響が与えられ、これらの相乗作用で優れた健康増進効果を得ることができる。
【０１０８】
また、マイナスイオン発生部８０と香気発生部７０とは、互いに近接した位置に設けられ、かつ、これらからのマイナスイオンおよび香気を含んだ空気のエア吹出し口６３は、運動者の顔面に対向して設けられているため、マイナスイオン含有空気と香気含有空気とを、同時に運動者の鼻腔に向けて送気することが可能になり、運動者に香気を感知させることにより無味無臭のマイナスイオン含有空気が供給されていることを連鎖的に認識させることができる。
【０１０９】
また、マイナスイオン発生部８０および香気発生部７０は、同一の送気通路に臨んで設けられているため、同一の送気流の中にマイナスイオン含有空気と、香気含有空気とが共存した状態になり、これによって運動者は、マイナスイオンと香気とを一体的に受けることが可能になり、両者の相乗作用をより確実に享受することができる。
【０１１０】
また、香気発生部７０は、香源保持柱７１に支持された香源部材７２の送気通路に対する露出状態を調節する露出調節構造としての可動カバー７３を備えているため、可動カバー７３を閉止位置と開放位置との間で位置調節することで運動者の好みに合った強度の香気を放香することが可能になり、運動者は、より快適な状態で運動を継続することができる。
【０１１１】
また、運動中の運動者に酸素富化空気を供給する酸素発生部９０が設けられているため、運動者にマイナスイオンおよび香気による健康増進作用および快適性を与えた上で、呼吸機能に負担を与えることなく必要な運動量を確保することが可能になり、健康増進と体力増強の双方に貢献することができる。
【０１１２】
本発明は、上記の実施形態に限定されるものではなく、以下の内容をも包含するものである。
【０１１３】
（１）上記の実施形態においては、運動装置としてトレーニングバイク１０が採用されているが、本発明は、運動装置がトレーニングバイク１０であることに限定されるものではなく、懸垂運動装置や、背筋増強用の運動装置など各種の運動装置に適用することができる。
【０１１４】
（２）上記の実施形態において、生体情報としての運動者の吐息の成分、口臭、体臭、体温あるいは発汗量を検出する生体情報センサを設け、この生体情報センサの検出した値に応じて自動的に運動パターンを設定したり変更することができるようにしてもよい。こうすることで、運動者の体調や状況に合わせてより適切な運動を行うことができる。
【図面の簡単な説明】
【０１１５】
【図１】本発明に係るトレーニングバイクの一実施形態を示す側面視の断面図である。
【図２】パネル部の側面視の断面図である。
【図３】パネル部の平面図である。
【図４】図３の部分拡大図であり、エア吹出し口および後述する針電極を示している。
【図５】前記香気発生部の一実施形態を示す斜視図であり、可動カバー７３が閉止位置に位置設定された状態を示している。
【図６】前記香気発生部の一実施形態を示す斜視図であり、可動カバーが開放位置に位置設定された状態を示している。
【図７】運動パターンの例を示す負荷表示部のパターン表示図であり、（ａ）は平準パターン、（ｂ）は単純鋸パターン、（ｃ）は山形パターン、（ｄ）は変形鋸パターンをそれぞれ示している。
【図８】制御部によるトレーニングバイクの制御を説明するためのブロック図である。
【図９】パネル部のエア吹出し口から放香を吹き出させるアロマ制御の一実施形態を示すフローチャートである。
【図１０】酸素富化機による酸素富化制御の一実施形態を示すフローチャートである。
【符号の説明】
【０１１６】
１０  トレーニングバイク      １１  前脚フレーム
１２  後脚フレーム            １３  中央フレーム
１４  垂下フレーム            １５  フレーム板
１９  カバー体                ２０  着座部
２１  外筒体                  ２２  内筒体
２３  サドル                  ３０  漕ぎ部
３１  クランクシャフト        ３２  ペダル
３３  ホイール                ３４  筋交い板
３５  無端ベルト              ３６  速度センサ
４０  負荷付与部              ４１  支持軸
４３  負荷調節機構            ４３１  テンションコントローラ
４３２  ブレーキ部材          ４３３  二重ケーブル
５０  ハンドル部              ５１  ハンドルシャフト
５２  棚部                    ５３  ハンドル
６０  パネル部                ６１  ケーシング
６１１  下ケース              ６１２  上ケース
６１３  底板                  ６１４  着脱窓
６２  吸気孔                  ６３  エア吹出し口
６３１  マイナスイオンスイッチ兼表示部
６３２  香気スイッチ兼表示部  ６４  表示エリア
６４１  プログラム番号表示部  ６４２  時間表示部
６４３  距離表示部            ６４４  消費カロリー表示部
６４５  脈拍表示部            ６４６  速度表示部
６４７  年齢別脈拍表示部      ６４８  負荷表示部
６４９  単位表示部            ６５  操作エリア
６５０  データ送信ボタン      ６５１  負荷設定スイッチ
６５２  選択スイッチ          ６５３  決定スイッチ
６５４  脈拍スイッチ          ６５５  ファンレベルスイッチ
６５５ａ  ファンレベル表示部  ６５６  酸素オン／オフスイッチ
６５７  クールダウン報知ランプ
６５７ａ  １分ライト          ６５７ｂ  ３分スイッチ
６５８  速度報知ランプスイッチ
６５８ａ  高速スイッチ        ６５８ｂ  適正スイッチ
６５８ｃ  低速スイッチ        ６６  装着空間
６６１  仕切り壁              ６６２  通気路
６６３  垂下壁                ６７  着脱窓
６８  歩数計着装部
７０  香気発生部              ７１  香源保持柱（香気源支持部材）
７２  香源部材（香気源）      ７２１  ケース
７２２  通風孔                ７３  可動カバー（露出調節構造）
７３１  天板                  ７３２  側板
７３３  操作突片              ７４  ガイドレール
７５  吸引ブロワ              ７５１  吸引口
７５２  排出口                ８０  マイナスイオン発生部
８１  イオナイザー            ８２  針電極
９０  酸素発生部              ９１  酸素富化機
９２  送出パイプ              ９３  ヘッドセット
９３１  Ｕ字板ばね            ９３２  頭当てパッド
９３３  酸素マウス            １００  制御部
１１０  設定運動モード判別部  １２０  香気オン／オフ指示判別部
１３０  マイナスイオンオン／オフ指示判定部
１４０  酸素供給指示判定部    １５０  負荷状態設定処理部
１６０  表示パネル点灯制御部  １７０  液晶表示制御部
１８０  設定運動量監視部      １９０  カウンタ
２００  ＲＯＭ                ２１０  ＲＡＭ
２２０  表示パネル用ランプ群  ２３０  液晶表示器
２４０  ブザー                ３００  脈拍計
Ｆ  フロア
【図１】
2005103086.tif 000003
【図２】
2005103086.tif 000004
【図３】
2005103086.tif 000005
【図４】
2005103086.tif 000006
【図５】
2005103086.tif 000007
【図６】
2005103086.tif 000008
【図７】
2005103086.tif 000009
【図８】
2005103086.tif 000010
【図９】
2005103086.tif 000011
【図１０】
2005103086.tif 000012